(57)【要約】【目的】床下地に不陸があった場合でも上横枠部材を水平に施工することができるような新規な扉枠据付構造を提供する。【構成】一対の縦枠部材２ａ，２ｂ及びそれらの上端を連結する上横枠部材３とから三方枠として構成された扉枠１を壁４の開口部５に据え付ける扉枠据付構造において、縦枠部材の下端面と床下地面８ａとの間に弾性部材９ａ，９ｂを介在させて扉枠を壁の開口部に取り付け、床下地の不陸を弾性部材の圧縮変形を通じて吸収する。縦枠部材の下端面は床板１０の表面より下に位置する。【選択図】図１
2006207166.tif 000002
【特許請求の範囲】
【請求項１】
一対の縦枠部材及びそれらの上端を連結する上横枠部材とから三方枠として構成された扉枠を壁の開口部に据え付ける扉枠据付構造であって、縦枠部材の下端面と床下地面との間に弾性部材を介在させて扉枠を壁の開口部に取り付け、床下地の不陸を弾性部材の圧縮変形を通じて吸収することを特徴とする扉枠据付構造。
【請求項２】
縦枠部材の下端面が床板表面より下に位置することを特徴とする、請求項１記載の扉枠据付構造。
【請求項３】
開口部の上内面と上横枠部材との間に飼木または楔状部材を介在させて上横枠部材の水平を維持することを特徴とする、請求項１または２記載の扉枠据付構造。
【発明の詳細な説明】
【技術分野】
【０００１】
本発明は、主として家屋におけるドアや引戸などの開口部に扉枠を据え付けた扉枠据付構造に関する。
【背景技術】
【０００２】
従来の扉枠据付構造としては、たとえば、下記特許文献１に記載のものが知られている。この従来技術によれば、調整ネジを用いることによって枠体の水平方向及び垂直方向のレベル出しを簡単に行うことができる。
【特許文献１】特許第２９４６２１０号公報
【発明の開示】
【発明が解決しようとする課題】
【０００３】
しかしながら、床下地に不陸があると、左右縦枠部材の長さは同一であるため、上記従来技術によっても、上横枠部材を水平に施工することができない。
【０００４】
床下地の不陸に対応して左右縦枠の一方を切断することによって上横枠部材を水平に調整することも考えられるが、床下地の微妙な不陸に対応した寸法だけ縦枠部材を切断する作業は困難であり、作業性を阻害する。
【０００５】
したがって、本発明が解決しようとする課題は、扉枠の垂直方向の調整が簡単にできるようにして、床下地に不陸があった場合でも、縦枠部材の切断作業を要することなく、上横枠部材を水平に施工することができるような新規な扉枠据付構造を提供することにある。
【課題を解決するための手段】
【０００６】
上記の課題を達成するため、請求項１に係る本発明は、一対の縦枠部材及びそれらの上端を連結する上横枠部材とから三方枠として構成された扉枠を壁の開口部に据え付ける扉枠据付構造であって、縦枠部材の下端面と床下地面との間に弾性部材を介在させて扉枠を壁の開口部に取り付け、床下地の不陸を弾性部材の圧縮変形を通じて吸収することを特徴とする。
【０００７】
請求項２に係る本発明は、請求項１の扉枠据付構造において、縦枠部材の下端面が床板表面より下に位置することを特徴とする。
請求項３に係る本発明は、請求項１または２の扉枠据付構造において、開口部の上内面と上横枠部材との間に飼木または楔状部材を介在させて上横枠部材の水平を維持することを特徴とする。
【発明の効果】
【０００８】
請求項１に係る本発明によれば、一対の縦枠部材及びそれらの上端を連結する上横枠部材とから三方枠として構成された扉枠を壁の開口部に据え付けるに際して、縦枠部材の下端面と床下地面との間に弾性部材を介在させているので、床下地に不陸があっても、それを弾性部材が圧縮変形することで吸収して、上横枠部材を水平に維持することができる。
【０００９】
請求項２に係る本発明によれば、縦枠部材の下端面が床板表面より下に位置するため、弾性部材が露出することなく、良好な外観を維持することができる。
【００１０】
請求項３に係る本発明によれば、開口部の上内面と上横枠部材との間に飼木または楔状部材が介在するので、上横枠部材が、弾性部材の圧縮変形を通じて維持されている水平を損なわずに不変に維持することができる。
【発明を実施するための最良の形態】
【００１１】
図１は、本発明の一実施形態による扉枠据付構造を示すもので、一対の左右縦枠部材２ａ，２ｂ及びそれらの上端を連結する上横枠部材３とから縦枠部材勝ちに三方枠として形成された扉枠１が、壁４の開口部５内に据え付けられている。左右縦枠部材２ａ，２ｂ及び上横枠部材３の各室内側には長さ方向に亘るケーシング溝６ａ，６ｂ，６ｃが刻設形成されており、左右縦枠部材２ａ，２ｂの各上端に形成した切除部７ａ，７ｂによりこれらケーシング溝６ａ，６ｂ，６ｃを連続させている。図２に示すように、壁４は、柱１１と、その両側に添着された表面板１２ａ，１２ｂとから形成され、表面板１２ａ，１２ｂの表面には化粧材（図示省略）が貼着される。ケーシング溝６ａ，６ｂ，６ｃにはケーシング１４が取り付けられる（図４）が、図１では省略されている。
【００１２】
各縦枠部材２ａ，２ｂ及び上横枠部材３の内面には、戸当たり（図示省略）を取り付けるための一対の取付溝１３ａ，１３ｂが平行に且つ連続して設けられるとともに、各縦枠部材２ａ，２ｂに形成された取付溝１３ａ，１３ｂ間において、高さ方向に間隔をおいて複数箇所に後述する調整ビス１５のプラグ１５ｇが嵌入されるプラグ嵌入凹部が設けられている（図２参照）。
縦枠部材２ａ，２ｂと上横枠部材３とは公知の方法で結合され、たとえば上横枠部材３の左右両端木口面から所要の長さに亘るボルト挿通穴を形成するとともに該ボルト挿通穴とネジ穴が整列するようにナット部材を挿入固定し、ボルト部材を縦枠部材２ａ，２ｂの上端部にあけたボルト挿通穴および上横枠部材３のボルト挿通穴に通してナット部材に螺合することによって行うことができる。
【００１３】
縦枠部材２ａ，２ｂの下端面と床下地８との間には板状の弾性部材９ａ，９ｂが配置される。すなわち、扉枠１は弾性部材９ａ，９ｂを介して床下地８の上面に載置されることにより壁４の開口部５に据え付けられる。この際、縦枠部材２ａ，２ｂの下面は床板１０の表面より下に位置する。
【００１４】
弾性部材９ａ，９ｂは、扉枠１の重量を支えるに十分であり、且つ、扉枠１の重量によってある程度圧縮可能な硬さを有し、ウレタンフォーム、シリコンフォーム、軟質合成ゴム、フェルトなどの弾性材料から形成される。この実施形態において、弾性部材９ａ，９ｂは、縦枠部材２ａ，２ｂの矩形断面と略同一形状及び寸法に形成された板状体であるが、上記のような弾性と硬さを有するものであれば、これに限定されない。
【００１５】
この扉枠１は、壁４の開口部５に対して、調整ビス１５により水平方向の位置調整可能に仮固定された（図２）後、固定ネジ１６によって固定される（図４）。壁４の開口部５は、扉枠１の大きさに対して幅１０ｍｍ、高さ５ｍｍ程度大きく形成されている。ここで扉枠１の高さとは、縦枠部材２ａ，２ｂに弾性部材９ａ，９ｂの自由厚さ（圧縮力がかかっていないときの厚さ）を加えた寸法である。幅方向には１０ｍｍの余裕があるので、開口部５の中央と扉枠１の中央とを一致させたときに、扉枠１の縦枠部材２ａ，２ｂの外側面と開口部内面との間に各々５ｍｍ程度の隙間ｄが形成されるように、調整ビス１５で幅方向の位置調整を行う。
【００１６】
扉枠１の据付方法についてより詳しく説明すると、縦枠部材２ａ，２ｂの下端面に弾性部材９ａ，９ｂが貼着された扉枠１を開口部５に挿入し、床下地８の上面８ａに載置する。次に、上横枠部材３が水平になるように開口部５の上内面と上横枠部材３との隙間に飼木１７ａ，１７ｂ（または楔状部材）を挿入して上横枠部材３の水平レベル出しを行う。飼木１７ａ，１７ｂは、開口部５の上内面が水平である場合には同じ厚さのものを使用するが、開口部５の上内面が水平でない場合は異なる厚さのものを使用して水平レベルを調整する。上横枠部材３が水平に調整された状態では、縦枠部材２ａ，２ｂの下端面と床下地面８ａとの間の弾性部材９ａ，９ｂは圧縮された状態となっている。
【００１７】
上横枠部材３の水平レベル出しを行った後、縦枠部材２ａ，２ｂを各々調整ビス１５により複数箇所、たとえば上中下の３箇所で柱１１に取り付ける。このようにして縦枠部材２ａ，２ｂを略当接させた後に調整ビス１５を緩める方向に回転すると、縦枠部材２ａ，２ｂが柱１１から離れる。これにより、扉枠１の縦枠部材２ａ，２ｂの外側面と開口部内面との間に各々５ｍｍ程度の隙間ｄが形成されるように、縦枠部材２ａ，２ｂの幅方向の位置調整を行う。そして、幅方向の隙間ｄを飼木１８などで維持しつつ、固定ネジ１６をねじ込んで、縦枠部材２ａ，２ｂを柱１１に固定する。さらに、ケーシング１４をケーシング溝６ａ，６ｂ，６ｃに嵌め込んで、扉枠１の据付が完了する。
【００１８】
上記した扉枠１の据付において、調整ビス１５は前述の特許文献１記載の調整ネジと略同様のものを用いることができ、図３に示すように、ビス頭１５ａの直下部分に複数段のリング１５ｂからなるリング部１５ｃが設けられ、軸先端にはネジ部１５ｄが設けられ、それらの間は平滑面部１５ｅとされている。ビス頭１５ａにはドライバー（図示省略）先端などを係合可能な係合溝１５ｆが設けられている。ネジ部１５ｄにおけるネジ山の外径はリング１５ｂの外径より若干小さく形成されることが好ましい。リング部１５ｃは着脱可能なプラグ１５ｇに収容されている。プラグ１５ｇは、その周側面に形成された複数の縦溝（符号なし）により、蛇腹状に変形（拡径）可能である。ビス頭１５ａは、縦枠部材２ａ，２ｂの内面における戸当たり取付穴１３ａ，１３ｂの間隔より若干小さい外径を有する。
【００１９】
縦枠部材２ａ，２ｂを調整ビス１５により柱１１に取り付けるに当たっては、好ましくは、上横枠部材３の水平レベル出しをする前に、プラグ１５ｇを調整ビス１５から取り外して少なくともその先端部を縦枠部材２ａ，２ｂのプラグ嵌入穴に木槌などで打ち込んでおくと良い。プラグ嵌入穴に打ち込んだプラグ１５ｇに調整ビス１５を挿入して、ビス頭１５ａの係合溝１５ｆに先端を係合させたドライバーにより、調整ビス１５を縦枠部材２ａ，２ｂから柱１１にねじ込む。あるいは、プラグ１５ｇをネジ部１５ｄの先端に取り付けた状態にして該プラグ１５ｇをプラグ嵌入穴に軽く打ち込んた状態で調整ビス１５をねじ込んでも良い。調整ビス１５がねじ込まれるにつれてプラグ１５ｇはビス頭１５ａ方向に移動する。そして、プラグ１５ｇがリング部１５ｃに到達すると、ネジ部１５ｄのネジ山より大きな外径を有するリング１５ｂによっての長さの過半以上に亘ってプラグ１５ｇが拡径して、プラグ嵌入穴の回りの縦枠部材２ａ，２ｂに対して強い側圧を与え、強固な固定状態が得られる。この状態が得られた後に調整ビス１５を緩める方向に回転することにより縦枠部材２ａ，２ｂを柱１１から離して、所定の隙間ｄを与えることができる。
【００２０】
このような扉枠１の据付構造によれば、図１に示すように縦枠部材２ａ，２ｂの下端が載置される床下地面８ａに不陸がある場合でも、弾性部材９ａ，９ｂの圧縮変形を介して、上横枠部材３は飼木１７，１７によって規定される水平レベルを維持することができる。図１の紙面鉛直方向にも不陸がある場合は、飼木１７，１７に代えて楔状部材（同紙面鉛直方向において厚さが異なるように傾斜面を有する部材）を挿入する。このように、不陸の程度や方向性によって開口部５の上内面と上横枠部材３との間に挿入する部材の形状や寸法を適宜異なるものとすることができる。
【図面の簡単な説明】
【００２１】
【図１】本発明の一実施形態による扉枠据付構造を示す正面図である。
【図２】調整ビスにより縦枠部材を取り付けた状態を示す断面図である。
【図３】調整ビスを示す図である。
【図４】固定ネジにより縦枠部材を固定し且つケーシングを取り付けた状態を示す断面図である。
【符号の説明】
【００２２】
１  扉枠
２ａ，２ｂ  縦枠部材
３  上横枠部材
４  壁
５  開口部
６ａ，６ｂ，６ｃ  ケーシング溝
７ａ，７ｂ  切除部
８  床下地
８ａ  床下地面
９ａ，９ｂ  弾性部材
１０  床板
１１  柱
１２ａ，１２ｂ  表面板
１３ａ，１３ｂ  戸当たり取付溝
１４  ケーシング
１５  調整ビス
１５ａ  ビス頭
１５ｂ  リング
１５ｃ  リング部
１５ｄ  ネジ部
１５ｅ  平滑面部
１５ｆ  係合溝
１５ｇ  プラグ
１６  固定ネジ
１７ａ，１７ｂ，１８  飼木
【図１】
2006207166.tif 000003
【図２】
2006207166.tif 000004
【図３】
2006207166.tif 000005
【図４】
2006207166.tif 000006